Podtech/llm-jp-corpus-v4-ja_patent huggingface dataset:
(57)【要約】      （修正有）【課題】打ち抜き加工された１枚の厚紙又はプラスチックシートから形成された部材から、使用者自身が組み立てる組み立て式のロールペーパーケースを提供する。【解決手段】１枚の打ち抜き加工された厚紙又はプラスチックシートを使用し、その他の部材や道具を使用することなく、容易に２つの部材１、２に切り離し、その２つの部材１、２に形成された係合片と切り込みが形成される。２つの部材１、２には係合片１Ａ〜１Ｎと、切り込み２Ａ〜２Ｎが対になるように備わっている。また、対になる片５、８には、それぞれ切り込み１Ｌ、２Ｌを備えており、それらを噛み合わせることにより固定される構造となっており、トイレ用ロールペーパー１個が入る多面体が形成される。【選択図】図１
0003210004.tif 000002
【実用新案登録請求の範囲】
【請求項１】
厚紙又はプラスチックシートに打ち抜き加工及び折り筋加工を施し形成された、係合片１A、１B、１C、１D、１E、１F、１G、１H及び切り込み２A、２Bを備えた部材1と、係合片１I、１J、１K、１M、１N及び切り込み２C、２D、２E、２F、２G、２H、２I、２J、２K、２M、２N及び切り込み１L、２Lを備えた部材2の折り筋を折り、それぞれ係合部を係合し、形成されたトイレ用のロールペーパー1個が入る程の大きさを有する底辺を六角形とする多面体であって、底部はそれぞれ並行する辺にある片５と片８、片3と片6、片4と片7を順に観音折りし、片4に形成された係合片１Mと１Nを片7に形成された２Mと２Nにそれぞれ差し込むことで固定され、上端部にロールペーパーを取り出すための穴が形成される事を特長とする組立式ロールペーパーケース。
【考案の詳細な説明】
【技術分野】
【０００１】
1枚のシート状の部材から組み立てるロールペーパー（トイレ用）を収納するケースに関するものである。
【背景技術】
【０００２】
本来であればトイレにて使用するロールペーパーをティッシュペーパーの代わりとしてトイレ以外の部屋で使用する際に、そのままの状態では見た目のイメージが悪いため、遮蔽を目的としてケース等に収納して使用する場合が多いが、それらの多くは完成品として販売されている。
【考案の概要】
【考案が解決しようとする課題】
【０００３】
従来のロールペーパーを収納するケースは、プラスチックや布などを用い、そのまま使用できる完成品として製造されているものが多く、それらはイベント会場等で特典や販促物として不特定多数に無償提供するノベルティグッズとしての用途においてコスト面での限界があった。
【課題を解決するための手段】
【０００４】
本考案は、1枚の厚紙又はプラスチックシートを使用し、その他の部材や道具等を使用することなく、組み立てることができるのが特長である。図１に示す通り、1枚の厚紙又はプラスチックシートに打ち抜き加工及び折り筋加工を施し、数カ所設けられた脱落防止の為の結合部を除き、切り離された状態となっている。それらの結合部はハサミ等を使用することなく、僅かな力で引きちぎることができる程度の微細なものであり、切り離すと図２の示す通り２つの部材が形成される。図3に示す通り、折り筋を折り、対になっている係合片を切り込みに差し込むことにより、その他の部材及び糊、粘着テープ等を使用することなく使用者自身で組み立てられる構造となっている。そのため、製造コストを低く抑えることができるのに加え、より短い期間での提供が可能となる。
【考案の効果】
【０００５】
本考案では、ロールペーパーを収納するケースを使用者が使用する際に組み立てる組み立て式とすることで、組み立て済みの完成品を提供する場合に比べ、安価により早く提供できるため、ノベルティグッズとしての利用価値を高める効果が期待できる。
【図面の簡単な説明】
【０００６】
【図１】シート状の組立式ロールペーパーケースの平面図
【図２】本考案をシートから切り離した状態を示す図
【図３】本考案の組み立て方を示す図
【図４】本考案の使い方を示す図
【図５】本考案の組み立て方を示す図
【図６】組み立てた後の底面を示す斜視図
【図７】本考案の組み立て後の斜視図
【考案を実施するための形態】
【０００７】
以下、本考案の形態を図に基づいて説明する。
【実施例】
【０００８】
本考案の組立式ロールペーパーケースの実施例である図1は、1枚の厚紙又はプラスチックシートである。図１の厚紙又はプラスチックシートには打ち抜き加工及び折り筋加工が施されており、数カ所設けられた脱落防止のための微細な結合部を除き、切り離された状態になっているため、ハサミ等を使用することなく僅かな力で切り離すことができる。図2の示す通り、切り離すと部材1と部材2が形成される。部材1と部材2には係合片１A、1B、１C、１D、１E、１F、１G、１H、１I、１J、１K、１M、１Nと、切り込み２A、２B、２C、２D、２E、２F、２G、２H、２I、２J、２K、２M、２Nが対になるように備わっている。また、対になる片５と片８には、それぞれ切り込み１Lと２Lを備えており、それらを噛み合わせることにより固定される構造となっている。図3の示す通り、全ての折り筋を適度に折り、係合片１Aと切り込み２A、係合片１Bと切り込み２Bのように、対になっている各係合部を１Kと２Kまで順に差し込む。図4の示す通り底部が開口している状態で、芯を抜き取ったロールペーパーを挿入する。底部は、片5と片8を折り筋に沿って90度に折り、それぞれある切り込み１Lと２Lを噛み合わせる。片3と片6も同様に90度折り、次に片4と片7も同様に90度折り、片4にある係合片１Mと１Nを片7にある切り込み２Mと２Nにそれぞれ差し込むことで底部の組み立てが完成する。使用する際は、ロールペーパーをもともと芯のあった中心部より引き出し、さらに図7の示す通りケースの上端部の開口部から引き出す。
【符号の説明】
【０００９】
１  部材
２  部材
３  片
４  片
５  片
6  片
７  片
８  片
１A  係合片
１B  係合片
１C  係合片
１D  係合片
１E  係合片
１F  係合片
１G  係合片
1H  係合片
１I  係合片
１J  係合片
１K  係合片
１L  切り込み
１M  係合片
１N  係合片
２A  切り込み
２B  切り込み
２C  切り込み
２D  切り込み
２E  切り込み
２F  切り込み
２G  切り込み
2H  切り込み
2I  切り込み
２J  切り込み
２K  切り込み
２L   切り込み
２M  切り込み
２N  切り込み
【図１】
0003210004.tif 000003
【図２】
0003210004.tif 000004
【図３】
0003210004.tif 000005
【図４】
0003210004.tif 000006
【図５】
0003210004.tif 000007
【図６】
0003210004.tif 000008
【図７】
0003210004.tif 000009
(57)【要約】【課題】駆血・止血バンドを使い捨て型とすることにより、衛生上の懸念を払しょくする。【解決手段】  自己粘着性テープのみを使用してなることを特徴とする駆血・止血バンドである。好ましくは、自己粘着性テープを幅１ｃｍ〜５ｃｍ、長さ２５ｃｍ〜７０ｃｍに裁断してなる。【選択図】図２
0003210060.tif 000002
【実用新案登録請求の範囲】
【請求項１】
自己粘着性テープのみを使用してなることを特徴とする駆血・止血バンド（１）。
【請求項２】
前記自己粘着性テープを幅１ｃｍ〜５ｃｍ、長さ２５ｃｍ〜７０ｃｍに裁断してなる請求項１記載の駆血・止血バンド（１）。
【請求項３】
前記自己粘着性テープを幅２ｃｍ〜３ｃｍ、長さ３０ｃｍ〜５０ｃｍに裁断してなる請求項１又は２記載の駆血・止血バンド（１）。
【考案の詳細な説明】
【技術分野】
【０００１】
本考案は、手術や採血などのために一時的に血流を止める駆血・止血バンドに関し、特に衛生的な使い捨て型のものに関する。
【背景技術】
【０００２】
病気検診や健康診断においては毎日頻繁に駆血・止血バンドを使用している。現在用いられているものは、ゴムチューブを腕に直接巻きつけるものや、一端部に洗濯バサミ状の摘みを有し、他端部を挟んで固定するものであることが多い（例えば、実用新案登録第３２０４８３６号参照）。
【先行技術文献】
【特許文献】
【０００３】
【特許文献１】実用新案登録第３２０４８３６号
【考案の概要】
【考案が解決しようとする課題】
【０００４】
上記するような従来の駆血・止血バンドは、同じものを毎日繰り返して使用する。検査者側では管理には細心の注意を払っているであろうが、他人の血液や汗が付着して、必ずしも衛生的とは言えない場合もありうると思われる。
【０００５】
本考案は、駆血・止血バンドを使い捨て型とすることにより、そのような衛生上の懸念を払しょくすることを目的とする。
【課題を解決するための手段】
【０００６】
本考案の駆血・止血バンドは、自己粘着性テープのみを使用してなることを特徴とする駆血・止血バンドである。この駆血・止血バンドには他の付属部品（例えば、末端固定のための摘み具や引っ掛け具）を一切使用する必要がない。
【０００７】
好ましくは、自己粘着性テープは幅１ｃｍ〜５ｃｍ、長さ２５ｃｍ〜７０ｃｍに裁断してなる。
【０００８】
自己粘着性テープ（「自己融着性テープ」ともいう）とは、粘着層が無く、対象物にオーバーラップ巻きしたときに重なり合う部分でテープ基材同士がその自己粘着性によって相互に接着し合い、テープとしての機能を果たすことができるものをいう。
【０００９】
このような自己粘着性テープとしては、
（１）ポリ塩化ビニルに所定量以上の酢酸ビニルを含有する塩化ビニル−酢酸ビニル共重合体を所定の割合で配合した樹脂組成物をテープ基材としたもの（特開平１１−２０９７１９号）、
（２）スチレン系エラストマーに対して粘着付与剤を配合した樹脂組成物をテープ基材とし、該テープ基材単体で構成したもの（特開２００５―８９６６９）
などが知られている。
【００１０】
市販品としても、スリーエム、日東電工、アズワン、バナック、中川ケミカル等の各メーカーから容易に入手することができる。
【００１１】
本発明の目的には、上記定義に合致する自己粘着性テープであれば、メーカーや素材を問うことなくすべて使用可能である。
【考案の効果】
【００１２】
本考案によれば、単に自己粘着性テープを幅１ｃｍ〜５ｃｍ、長さ２５ｃｍ〜７０ｃｍに裁断して用いるだけであり、末端に固定部材を使用しない。そのため、加工が極めて容易であって、安価に製造可能である。その結果、使い捨てしても経済的に大きな負担とはならない。なにより毎回新しい清潔なものを使用することができるので衛生的である。
【００１３】
また、このテープは腕に巻きつけるとき、従来技術のゴムチューブと比較すると幅広であって腕に対して負担が少ない。さらに、テープ状なので収納に場所を取らず、持ち運びも容易である。
【図面の簡単な説明】
【００１４】
【図１】（ａ）本考案の１実施例に係るに係る駆血・止血バンドの平面図、（ｂ）同側面図である。
【図２】上記駆血・止血バンドの使い始めの状態を示す側面図である。
【図３】上記駆血・止血バンドを装着した後の側面図である。
【考案を実施するための形態】
【００１５】
図１に示すように、この実施例の駆血・止血バンド１は、幅１ｃｍ〜５ｃｍ、好ましくは１．５ｃｍ〜４ｃｍ、より好ましくは２ｃｍ〜３ｃｍ、長さ２５ｃｍ〜７０ｃｍ、好ましくは３０ｃｍ〜５０ｃｍ、より好ましくは、３５ｃｍ〜４５ｃｍに裁断された自己粘着性テープである。販売時には紙箱や紙袋などに個別包装又は集合包装される。
【００１６】
使用方法は簡単で、図２、３のように腕にきつく巻き付けるだけである。末端はテープにそのまま押し付けて付着させるので、特別な固定具は必要がない。
【実施例１】
【００１７】
日東電工製の自己粘着性テープ（品番Ｎｏ．１５、テープ幅１９ｍｍ、テープ厚み０．５ｍｍ、引張強度１１．２Ｎ／１０ｍｍ）を長さ３５ｃｍに裁断して駆血・止血バンドとした。図２、３のように腕にきつく巻き付けて採血した。装着時に腕に食い込むような違和感がなく、強度的にも十分使用に耐えられるものであった。使用後は廃棄した。
【符号の説明】
【００１８】
１     駆血・止血バンド
【図１】
0003210060.tif 000003
【図２】
0003210060.tif 000004
【図３】
0003210060.tif 000005
(57)【要約】      （修正有）【課題】穿刺時のヒューマンエラーをなくし、穿刺を行う人の技量や患者等の状態に関係なく、適切な穿刺を行えるコンパクト型静脈注射及び採血用穿刺針誘導装置を提供する。【解決手段】上腕固定部１とプローブ２とディスプレイモニタ３とを備え、プローブとディスプレイモニタ３とは一体に構成され、プローブ２は血管軸方向である長軸方向の断面像を撮影する第１の撮影部と、前記長軸方向と直行する短軸方向の断面像を撮影する第２の撮影部とを有し、ディスプレイモニタ３は第１の撮影部と第２の撮影部とを同時に又は切り替えて表示し、プローブ２は上腕固定部１にスライド可能に保持されることを特徴とするコンパクト型静脈注射及び採血用穿刺針誘導装置を使用することにより、穿刺を行う人の技量や患者等の状態に関係なく、適切な穿刺を行うことができる。【選択図】図１
0003210096.tif 000002
【実用新案登録請求の範囲】
【請求項１】
上腕固定部とプローブとディスプレイモニタとを備え、前記プローブと前記ディスプレイモニタとは一体に構成され、前記プローブは血管軸方向である長軸方向の断面像を撮影する第１の撮影部と、前記長軸方向と直行する短軸方向の断面像を撮影する第２の撮影部とを有し、前記ディスプレイモニタは第１の撮影部と第２の撮影部とを同時に又は切り替えて表示し、前記プローブは前記上腕固定部にスライド可能に保持されることを特徴とするコンパクト型静脈注射及び採決用穿刺針誘導装置。
【考案の詳細な説明】
【技術分野】
【０００１】本考案は、看護師等が静脈注射や動脈注射を安全かつ正確に行えるように、注射針の穿刺先の血管内への誘導を支援する装置に関する。
【背景技術】
【０００２】現在、外来や採血室等で看護師が行っている静脈穿刺や動脈穿刺は長年の現場での経験や先輩等からの技術指導に基づいて行っている。しかしながら、小児や老人の血管の細い患者や、太った脂肪の多い患者に対しての穿刺技術は難しく、針の刺し違い等により血管壁を損傷し血液漏れを起こしたり、場合によっては神経障害を起こしたりする懸念もあった。
【先行技術文献】
【特許文献】
【０００３】
【特許文献１】特開平１１−３３０２６
【考案の概要】
【考案が解決しようとする課題】
【０００４】上述したような穿刺時のヒューマンエラーをなくすため、穿刺を行う人の技量や患者等の状態に関係なく、適切な穿刺を行えることが望まれている。
【課題を解決するための手段】
【０００５】上記課題を解決するために、本考案は、上腕固定部とプローブとディスプレイモニタとを備え、前記プローブと前記ディスプレイモニタとは一体に構成され、前記プローブは血管軸方向である長軸方向の断面像を撮影する第１の撮影部と、前記長軸方向と直行する短軸方向の断面像を撮影する第２の撮影部とを有し、前記ディスプレイモニタは第１の撮影部と第２の撮影部とを同時に又は切り替えて表示し、前記プローブは前記上腕固定部にスライド可能に保持されることを特徴とするコンパクト型静脈注射及び採決用穿刺針誘導装置を提供する。
【考案の効果】
【０００６】本考案のコンパクト型静脈注射及び採血用穿刺針誘導装置によれば、看護師の技術や勘に頼っていた穿刺行為をモニタリングしながら行えるので、被検者への負担を軽減し、看護師の高度な熟練度を必要とせずにヒューマンエラーのない注射針の穿刺が可能になる。
【図面の簡単な説明】
【０００７】
【図１】本考案のコンパクト型静脈注射及び採決用穿刺針誘導装置の概略図である。
【図２】本考案のコンパクト型静脈注射及び採決用穿刺針誘導装置のプローブの模式図である。
【図３】本考案のコンパクト型静脈注射及び採決用穿刺針誘導装置のディスプレイモニタの画面である。
【考案を実施するための形態】
【０００８】本考案のコンパクト型静脈注射及び採決用穿刺針誘導装置の実施例を以下に示す。
【実施例】
【０００９】図１は本考案のコンパクト型静脈注射及び採決用穿刺針誘導装置の概略図である。図１において、１は上腕固定部であり、円環状の腕輪の一部が開放された形状を有し、採血時等に注射針を腕に穿刺する際、本考案の装置を上腕部に固定する機能を有する。２はプローブであり、上腕固定部１にスライド可能に支持されている。スライド式であるため、被検者各人の腕に確実に装着固定することができる。３はプローブ２に固定されたディスプレイモニタであり、プローブ２で撮像された画像を画面上に表示することができる。【００１０】図２は前記プローブ２の模式図であり、Ｔ型形状を有し、血管軸方向である長軸方向の浅部断面像を撮影する長軸用リニアプローブ２ａと、前記長軸方向と直行する短軸方向の浅部断面像を撮影する短軸用リニアプローブ２ｂとからなる。長軸用リニアプローブ２ａでは、血管の幅方向の位置の確認を行い、短軸用リニアプローブ２ｂでは、血管の深さ方向の位置の確認を行う。また、プローブ２の中心には穿刺位置固定マーカーを付設し、注射針の誘導ガイドとしてもよい。【００１１】図３はディスプレイモニタ３の画面を示す図であり、図２で示すプローブ２で撮像された画像を表示する。図３（ａ）は長軸用リニアプローブ２ａで撮像された血管の長軸方向の画像を表示している状態である。図３（ｂ）は短軸用リニアプローブ２ｂで撮像された血管の短軸方向の画像を表示している状態である。なお、図３（ａ）と図３（ｂ）の画像はそれぞれ切り替えて画面全体に表示しているが、１画面中に長軸方向と短軸方向の２画面を同時に表示するようにしてもよい。【００１２】以上のように、本考案のコンパクト型静脈注射及び採決用穿刺針誘導装置は、プローブ、ディスプレイモニタ、上腕固定部が一体となった持ち運び可能な小型の装置であるため、院外に持ち出してどこでも使用することができる。
【符号の説明】
【００１３】１  上腕固定部
２  プローブ
２ａ  長軸用リニアプローブ
２ｂ  短軸用リニアプローブ
３  ディスプレイモニタ
【図１】
0003210096.tif 000003
【図２】
0003210096.tif 000004
【図３】
0003210096.tif 000005
(57)【要約】      （修正有）【課題】軽量で調湿機能と脱臭機能とを備えた家屋調湿マットを提供する。【解決手段】本考案は、通気性かつ非通水性を有する不織布から成る袋体１に、少なくとも５ｍｍ〜１０ｍｍの竹炭２と、粒径１ｍｍ〜５ｍｍの粒状のシリカゲル３が９対１の重量比で充填されたことを特徴とする家屋用調湿マットを家屋に施設することで、調湿機能と吸着機能と脱臭機能が十分に発揮され、清浄な家屋の雰囲気を得ることができる。【選択図】図１
0003210071.tif 000002
【実用新案登録請求の範囲】
【請求項１】
通気性かつ非通水性を有する不織布から成る袋体に、少なくとも５ｍｍ〜１０ｍｍの竹炭と、粒径１ｍｍ〜５ｍｍの粒状のシリカゲルが９対１の重量比で充填されたことを特徴とする家屋用調湿マット
【考案の詳細な説明】
【技術分野】
【０００１】  本考案は、床下、天井裏、壁等で用いられる調湿機能と脱臭機能を備えた、家屋用調湿マットに関するものである。
【背景技術】
【０００２】  日本は四季によって気温や湿度の変化が箸しく、夏は高温多湿であり、冬は低温度である。特に、梅雨時は人間にとって非常に不快な季節であるが、家屋にとっても問題がある。すなわち、梅雨時は多雨高湿であるため、家屋構造材が腐ったり、白蟻の被害が発生したりする。【０００３】  このため、例えば床下の風通をよくすることや床下に炭を施設するなど、数々の探索が行われている。【０００４】  例えば、特開２００４−１３２１７０号では、木炭を不織布に包んだ家屋に適した床下調湿材が開示されている。
【先行技術文献】
【特許文献】
【特許文献１】特開２００４−１３２１７０号
【考案の概要】
【考案が解決しようとする課題】
【０００５】  しかしながら、床下を乾燥させればさせるほど良いとゆうわけではない。床下が乾燥すれば、屋内の湿度が影響して居住性が底下するだけでなく、家屋を構成する構造材、特に、柱や壁板等の木材に変化やひび割れ生じる。従って床下は高湿でもなく乾燥状態でもなく、適度な湿度に調整される必要があり、通気性かつ非通水性を有する不織布から成る袋体に少なくとも５ｍｍ〜１０ｍｍの竹炭と粒径１ｍｍ〜５ｍｍの粒状のシリカゲルが９対１の重量比で充填されたことを特徴とする家屋用調湿マットは存在していない。【０００６】  また、木炭は吸湿機能と共に脱臭機能も有り、吸湿材として優れた材料であるが、木炭は吸湿量が比較的少ないことと、放湿機能に劣るため、湿度を調節する吸収作用が不十分であること等の問題があった。【０００７】  また、床下の湿気だけでなく、屋内の湿度の調整も大切である。屋内の湿度が高いと、居住者にとって不快であるだけでなく、ダニやカビが発生する問題がある。逆に、湿度が低く過ぎると、身体が乾燥して喉を傷めたり、皮膚がカサカサしたり、風邪を引やすくなったりする問題がある。したがって、屋内も適切湿度に調整されること望まれる。【０００８】  また、近年の家屋は、冷暖房の効率をあげるために自然的な換気が益々難しくなってきている。また、新しい建材の開発に伴い、身体に有害な揮発成分が問題となっており、これら身体な揮発成分の除去方法の開発も重要である。【０００９】  さらに、このような屋内の湿度調整に対し、エヤコンや加湿器、除湿器等々によって、湿度の調整する方法が採用されてきたが、人工的な調整方法では体質にあわない人が多く、自然環境に似た、ゆるやかな調整方法が期待されている。【００１０】  本考案はこのような問題を鑑みてなされたものであり、調湿機能と脱臭機能を備えた家屋調湿マットを提供する事を目的とする。
【課題を解決するための手段】
【００１１】  以上の課題を解決するために、竹炭の調湿機能を補い十分な調湿機能と脱臭機能を発揮させるために、竹炭に粒状シリカゲルを所定の割合で添加して充填材とした。具体的には、通気性かつ非通水性を有する不織布から成る袋体に、少なくとも５ｍｍ〜１０ｍｍの竹炭と、粒径１ｍｍ〜５ｍｍの粒状のシリカゲルが９対１の重量比で充填されたことを特徴とする家屋用調湿マットとした。
【考案の効果】
【００１２】  本考案は、通気性かつ非通水性を有する不織布から成る袋体に、少なくとも５ｍｍ〜１０ｍｍの竹炭と、粒径１ｍｍ〜５ｍｍの粒状のシリカゲルが９対１の重量比で充填されたことを特徴とする調湿機能と吸着機能と脱臭機能を備えた家屋用調湿マットであり、この家屋用調湿マットを家屋の床下や天井裏などに施設することで、清浄な家屋の雰囲気を得ることができる。
【図面の簡単な説明】
【００１３】
【図１】袋体の一部断面斜視図である。
【図２】袋体を家屋の天井、床、壁に施設した図である。
【考案を実施するための形態】
【００１４】  以下にこの発明の一実施の形態を説明する。
【実施例１】  まず、本実施例の床下用調湿マットは、図１に示すように、通気性かつ非通水性を有する不織布から成る４５ｃｍ×４５ｃｍの袋体に、少なくとも５ｍｍ〜１０ｍｍの竹炭と、粒径１ｍｍ〜５ｍｍの粒状のシリカゲルが９対１の重量比で充填した後、マット状に縫合して製作した。本考案で言う竹炭とシリカゲルは、多孔質軽量させた物を意味し、いわゆるパーライトと呼ばれるものである。また、この竹炭とシリカゲルは見掛け比重が０．１位程度に軽量化された物が好ましい。【００１５】  また、竹炭は竹を焼成させた炭化物であるが、竹炭の他、炭化物を得ることのできるものであれば、木、籾殻等、特に竹に限定されるものではない。【００１６】  家屋の天井、床、壁に本調湿マットを施設した状態を図２示す。本調湿マットを、隙間を生じないよう施設する。これによって、家屋内は、清浄な雰囲気を得ることができる。
【符号の説明】
【００１７】１    袋体
２    竹炭
３    シリカゲル
４    家屋用調湿マット
５    天井
６    床
７    壁
【図１】
0003210071.tif 000003
【図２】
0003210071.tif 000004
(57)【要約】      （修正有）【課題】建築物の解体に伴って発生する大量の建築資材による廃棄物の軽減化を図る正方形をした木製建築資材パネルを提供する。【解決手段】パネルは、並列する複数の桁２とこの桁とほぼ直交する方向に並列する複数の天板１および底板３とからなり、桁２を上下からの天板１と底板３とで挟み込み、固定して形成される。桁と天板、底板の長さは、全て同じであるため、正方形となり、運搬用木製パレットとして再使用でき、建築物の解体に伴って発生する大量の建築資材による廃棄物の軽減化を図ることができる。【選択図】図１
0003210079.tif 000002
【実用新案登録請求の範囲】
【請求項１】
穴のある並列する複数の桁２とこの桁とほぼ直交する方向に並列する複数の天板１および底板３とからなり、桁を上下からの天板と底板とで挟み込み、固定して形成される建築資材用正方形木製パネル。
【請求項２】
上記天板と桁との交差部および上記底板と桁との交差部を釘４やビス４によって固定した請求項１に記載の建築資材用正方形木製パネル。
【請求項３】
上記天板および底板の板厚を９ｍｍ〜３０ｍｍ、上記桁の板厚を１５ｍｍ〜１５０ｍｍとし、長さは、全て１１００ｍｍ、請求項１から２のいずれかに記載とした建築資材用正方形木製パネル。
【考案の詳細な説明】
【技術分野】
【０００１】本考案は、正方形をした木製建築資材パネルである。
【背景技術】
【０００２】建築部材として使用後、解体すれば、運送・梱包用木製パレットとして再利用ができる。
【考案の概要】
【考案が解決しようとする課題】
【０００３】建築物の解体に伴って大量な廃棄物を生み出すことが、社会問題となっている。
【課題を解決するための手段】
【０００４】正方形をした木製建築資材パネルの穴を使って金物で連結し、建築部材として使用する。解体後、運送・梱包用木製パレットとして再利用すれば、上記の課題を解決することになる。
【考案の効果】
【０００５】本考案に係る正方形をした木製建築資材パネルは、１１００ｍｍの木材を採用しているため、建築資材として安価で使用することができ、正方形をした木製建築資材パネルの穴を使って建築金物で連結する。解体時に連結した建築金物を外せば、運送・梱包用木製パレットに形になっているため、容易に再利用することができる。
【図面の簡単な説明】
【０００６】
【図１】本考案の正方形をした木製建築資材パネル図
【図２】本考案の表面図
【図３】本考案の裏面図
【図４】本考案の部品図
【図５】本考案の使用状況図
【符号の説明】
【０００７】１  天板
２  桁
３  底板
４  釘または、ビス
５  穴
【図１】
0003210079.tif 000003
【図２】
0003210079.tif 000004
【図３】
0003210079.tif 000005
【図４】
0003210079.tif 000006
【図５】
0003210079.tif 000007
(57)【要約】      （修正有）【課題】標尺に容易に取付けられかつ摺動可能で標尺の目盛面に常に垂直に接する一面を持っていて、更に被写体を隠すことのない標尺用指示具を提供する。【解決手段】４ヶ所の挿通孔２を設けた透明材料からなる直角三角形平板３と、挿通孔２に伸縮性のある２本の筒状紐材４が、対向するように挿通して固着され、直角三角形平板３と筒状紐材４との間に標尺が保持できるようにした。【選択図】図１
0003210076.tif 000002
【実用新案登録請求の範囲】
【請求項１】
４ヶ所の挿通孔を設けた透明材料からなる直角三角形平板と、前記挿通孔に伸縮性のある２本の筒状紐材が、対向するように挿通して固着され、前記直角三角形平板と前記筒状紐材との間に標尺が保持できるようにしたことを特徴とする標尺指示具
【考案の詳細な説明】
【技術分野】
【０００１】  本考案は、建設工事等において出来形写真を撮る際に標尺の数値を指し示す標尺指示具に関するものである。
【背景技術】
【０００２】  建設工事においては出来形写真を撮る際に、ピンポールを人手で標尺の前面に合わせていた。このため出来形写真の撮影には２人から３人の作業者が必要であった。【０００３】  これら標尺を用いた出来形写真の撮影に関して種々の工夫が行われているが、作業者１人で出来形写真の撮影を精度よく確実にできる標尺指示具は存在していない。【０００４】  例えば、特開２００３−１８５４３７号では、ピンポールを標尺に固定・移動することができるピンポール指示具が開示されている。
【先行技術文献】
【特許文献】
【特許文献１】特開２００３−１８５４３７号公報
【考案の概要】
【考案が解決しようとする課題】
【０００５】  しかしながら、４ヶ所の挿通孔を設けた透明材料からなる直角三角形平板と、前記挿通孔に伸縮性のある２本の筒状紐材が、対向するように挿通して固着され、前記直角三角形平板と前記筒状紐材との間に標尺が保持できるようにしたことを特徴とする標尺指示具は存在していない。【０００６】  また、従来の方法は、ピンポールの位置を人手で合わせるため、撮影時に測定数値の表示位置がずれたり、斜めになったりする等して人手や手間がかかっていた。【０００７】  また、ピンポール固定金具を使用することもあるが、標尺とピンポールに隙間が空き、更にピンポールが円柱形状であるため、撮影角度によって測定数値がずれて見えたりすることがあった。【０００８】  また、ピンポールは直径が６ｍｍ〜８ｍｍ程度あることから、標尺目盛や検測対象物を背面に隠してしまう場合があった。【０００９】  さらに、ピンポール固定金具により支持する場合、障害物等に接触した際、簡単に外れ落ちてしまうという欠点があった。【００１０】  本考案はこのような問題を鑑みてなされたものであり、ピンポールの代わりに、標尺に容易に取付けられかつ摺動可能で標尺の目盛面に常に垂直に接する一面を持っていて、更に被写体を隠すことのない標尺用指示具を提供することを目的とする。
【課題を解決するための手段】
【００１１】  以上の課題を解決するために、４ヶ所の挿通孔を設けた透明材料からなる直角三角形平板と、前記挿通孔に伸縮性のある２本の筒状紐材が、対向するように挿通して固着され、前記直角三角形平板と前記筒状紐材との間に標尺が保持できるようにしたことを特徴とする標尺指示具を提供する。【００１２】  また、標尺の数値の目盛りに対して直角三角形平板の底辺部が垂直に固定されることにより、表示位置のずれを防ぐ構造とした。【００１３】  また、透明の硬質材を使用することで、標尺の目盛や検測対象物を背面に隠すことなく撮影することができるようにした。
【考案の効果】
【００１４】  本考案は、直角三角形平板と筒状紐材との間に標尺を着脱自在に保持することが可能であり、出来形撮影時にピンポールを保持するのに人手や手間が掛かったり、固定金具からピンポールが簡単に外れ落ちるという問題点を解決することができる。【００１５】  また、標尺の数値の目盛りに対して直角三角形平板の底辺部が垂直に接することにより、表示位置のずれを防ぐことができる。また、透明の硬質材を使用することで、標尺の目盛や検測対象物を背面に隠すことなく、写真撮影することができるようにした。【００１６】  さらに、標尺との固定方法に伸縮性のある紐を使用することによって、標尺の目盛等に傷を付けずに摺動させることができる。
【図面の簡単な説明】
【００１７】
【図１】本考案の標尺指示具の斜視図である。
【図２】本考案の標尺指示具に標尺を取り付けた状態を示す参考図である。
【図３】本考案の標尺指示具の使用状態を示す参考図である。
【考案を実施するための形態】
【００１８】  以下、本考案の一実施の形態を説明する。
【実施例１】
【００１９】  図１は、本考案による標尺指示具１を示す斜視図である。４ヶ所の挿通孔２を設けた透明材料からなる直角三角形平板３と、前記挿通孔２に伸縮性のある２本の筒状紐材４が、対向するように挿通して固着され、前記直角三角形平板３と前記筒状紐材４との間に標尺５が保持できるようにしたことを特徴とする標尺指示具とした。【００２０】  図２は、本考案に係る標尺指示具１に標尺５を取り付けた状態を示す参考図である。標尺指示具１は、直角三角形平板３と伸縮性のある２本の筒状紐材４との間に標尺５を挿入して取り付けられ、標尺５の目盛面に沿って摺動可能である。また、直角三角形平板３には透明アクリル板を用い、標尺５に標尺指示具１を取付けた際に、目盛り及び検測対象物６が隠れないようにした。【００２１】  図３は、本考案の標尺指示具１の使用状態を示す参考図である。本考案に係る標尺指示具１を２ヶ標尺５に取付けた後、片方を基準位置に合わせ、もう片方を検測対象物の寸法に合わせて使用する。【００２２】  なお、本考案は前記実施例に限定されるものではなく、直角三角形平板１の透明材料や紐材４の伸縮性は適宜変更可能である。
【符号の説明】
【００２３】１    標尺指示具
２    挿通孔
３    直角三角形平板
４    紐材
５    標尺
６    検測対象物
【図１】
0003210076.tif 000003
【図２】
0003210076.tif 000004
【図３】
0003210076.tif 000005
(57)【要約】      （修正有）【課題】部分切り取りができるペットシートを提供する。【解決手段】ペットシート１にミシン目２をつけることにより、ペットが使用した箇所をハサミ等の道具を使用しなくても、切り離しができる。【選択図】図１
0003210078.tif 000002
【実用新案登録請求の範囲】
【請求項１】
ペットシートにミシン目をつけることにより、ペットが使用した箇所をハサミ等の道具を使用しなくても、切り離しができることを特徴とするペットシート。
【考案の詳細な説明】
【考案の詳細な説明】
【技術分野】
【０００１】  本考案は、手軽に部分切り取りができるペットシートに関するものである。
【背景技術】
【０００２】  従来のペットシートは、ペットの使用後は、１枚全部を交換する必要があった。
【考案の概要】
【考案が解決しようとする課題】
【０００３】  従来のペットシートは、ペットの使用後は、１枚全部を交換するか、処分箇所をハサミ等の道具を使用して切り取って処分する必要があった。
【課題を解決するための手段】
【０００４】  本考案は、シート部にミシン目を付けることにより、処分部を道具なしで切り取りができ、上記の課題を解決するものである。
【課題を解決するための手段】
【０００４】
【考案の効果】
【０００５】  シートにミシン目を付けることにより、ハサミ等と切断道具を使用しなくても処分部を切り取ることができるため、１枚全部を交換するよりは、処分量をなくすることができ、実用性に優れたものである。
【図面の簡単な説明】
【０００６】
【図１】本考案に係るペットシートの平面図
【考案を実施するための形態】
【０００７】  図１に示すように、ミシン目をペットシートに施工する。
【符号の説明】  １  ペットシート
２  ミシン目
【図１】
0003210078.tif 000003
(57)【要約】      （修正有）【課題】開封済みの食品包装袋を容易に閉じて保管できる袋用カバーを提供する。【解決手段】シリコーン製の伸縮性を有する袋状をなし、食品又は食品素材を袋詰めしていた包装袋の一縁を開封した後の開口部に被せられ、前記包装袋の前記開口部を封止するように前記包装袋を締め付けて取付されることを特徴とする袋用カバー１とする。【選択図】図１
0003210583.tif 000002
【実用新案登録請求の範囲】
【請求項１】
シリコーン製の伸縮性を有する袋状をなし、食品又は食品素材を袋詰めしていた包装袋の一縁を開封した後の開口部に被せられ、前記包装袋の前記開口部を封止するように前記包装袋を締め付けて取付されることを特徴とする袋用カバー。
【考案の詳細な説明】
【技術分野】
【０００１】  本考案は、開封済みの食品包装袋を容易に閉じて保管できるカバーに関するものである。
【背景技術】
【０００２】  ギリギリに開封しても再度封をするのに必要なだけの余裕が無い包装袋が多く、使いかけの食品等を保管するのに開口部を封じることが難しいのが現状である。
輪ゴムやクリップでは包装袋に余裕が無いために開口部を封じることが容易ではなく、保存袋等を利用した場合は袋の長さが足りない場合や横幅等に過剰に余分が出るために嵩張り、容易に保管することが難しいという問題点があった。
【先行技術文献】
【特許文献】
【０００３】
【特許文献１】実用新案登録第３０７４７２６号
【考案の概要】
【考案が解決しようとする課題】
【０００４】  食品又は食品素材を袋詰めしていた包装袋の一縁を開封した後の開口部は輪ゴム又はクリップ等を取り付けるための余裕が無く封をして保管するのが難しい。包装袋にシリコーン製の伸縮性を有する袋状のカバーを被せることで簡単に前記の欠点を解決しようとするものである。
【課題を解決するための手段】
【０００５】  本考案は元々の包装袋を封じるのではなく伸縮する袋を利用し、保管したい包装袋の上から覆い被せ締め付ける事で開口部を容易に封じスッキリと保管することができ、問題点を解決している。シリコーン樹脂を素材として用いることにより伸縮性を付与でき、より密着させることが可能となるものである。
【考案の効果】
【０００６】  包装袋に余裕が無く、輪ゴムやクリップで封じて保管することが難しかったパスタ等の乾麺や冷凍食品もスッキリと容易に保管できる。
また、食品等が入っている元々の包装袋を使用するので商品名称や賞味期限、使用方法などの表示を紛失することが無く、安全に中身を消費することができる。
更に、包装袋を密閉することで乾燥、湿気、ゴミ等から中身を守り、容易に開口部を封じ保管できる。
【図面の簡単な説明】
【０００７】
【図１】本考案の実施形態になる袋用カバーを示す斜視図である。
【図２】（ａ）〜（ｃ）は同じくその使用方法を示す図である。
【図３】本考案の他の実施形態による袋用カバーを示す斜視図である。
【考案を実施するための形態】
【０００８】  図１に示すように、本実施形態の袋用カバー１は袋状とし、上縁が平型である。
図２に示すように、ａで内容物３の包装袋２の開口部４に袋用カバー１を掛け同時に掴む。
ｂでは伸縮性を利用し、指で袋用カバー１を伸ばし、内容物３と包装袋２を覆い被せて開口部４を封じる。
ｃは装着完了時の最終形態である。
【０００９】  図３に示すように、同じく袋状をなすが、上縁は山型に湾曲している。
【符号の説明】
【００１０】  １  平型の袋状カバー
２  食品等の包装袋
３  食品等の内容物
４  包装袋の開口部
５  上縁が山型に湾曲した袋状カバー
【図１】
0003210583.tif 000003
【図２】
0003210583.tif 000004
【図３】
0003210583.tif 000005
(57)【要約】      （修正有）【課題】カメラ撮影時に被写体であるゲルの接写撮影にズーム機能を使用しないで撮影が可能となりより鮮明な画像を得られかつ切り出し時に肉眼からゲルまでの目視距離が近くなりより的確に切り出しが可能となる電気泳動ゲル撮影装置を提供する。【解決手段】１段階以上の高さ調節が可能な暗箱部を持つ電気泳動ゲル撮影装置で、暗箱部は内ケースと外ケースがハメ合いレール構造で外ケースに取り付けてあるインデックスプランジャー５を用いて装置の高さ調節ができる構造をもつ。【選択図】図１
0003210581.tif 000002
【実用新案登録請求の範囲】
【請求項１】
１段階以上の高さ調節が可能な暗箱部を持つ電気泳動ゲル撮影装置で暗箱部は内ケースと外ケースがハメ合いレール構造で外ケースに取り付けてあるインデックスプランジャーを用いて装置の高さ調節ができる構造をもつ電気泳動ゲル撮影装置。
【考案の詳細な説明】
【技術分野】
【０００１】  本考案は電気泳動後のゲル撮影及びゲルからのＤＮＡバンド切り出し作業に関するものである。
【背景技術】
【０００２】  電気泳動後のゲル撮影作業（以下、撮影）及びゲルからのＤＮＡバンド切り出し作業（以下、切り出し）は一般的に同一装置内での作業は装置の高さが固定化されているため撮影と切り出しそれぞれの作業結果に不満がありながら已を得ず同一装置内で行うか撮影と切り出しを別々の装置を用いて行っているが本装置は高さ調節を可能にしているため同一装置内でより鮮明な画像撮影及び的確な切り出しを行うことができる。
【先行技術文献】
【特許文献】
【０００３】
【特許文献１】
【非特許文献】
【０００４】
【非特許文献１】日本ジェネティクス株式会社  「ＦＡＳ−Ｄｉｇｉ」カタログ
【考案の概要】
【考案が解決しようとする課題】
【０００５】本考案は１段階以上の高さ調節が可能な暗箱を持つ電気泳動ゲル撮影装置によってカメラ撮影時に被写体であるゲルの接写撮影にズーム機能を使用しないで撮影が可能となりより鮮明な画像を得られかつ切り出し時に肉眼からゲルまでの目視距離が近くなりより的確に切り出しが可能となるよう解決しようとするものである。
【課題を解決するための手段】
【０００６】本考案は１段階以上の高さ調節が可能な暗箱を持つ電気泳動ゲル撮影装置であり同一装置内で撮影時により鮮明な画像及び的確な切り出しを可能とし問題点を解決している。
【考案の効果】
【０００７】本考案は従来の高さが固定化された暗箱を持つ電気泳動ゲル撮影装置では得られない鮮明な画像撮影及び的確な切り出しが可能となり分子遺伝学分野の研究に役立つ。
【図面の簡単な説明】
【０００８】
【図１】イ）本考案の装置暗箱内ケース  ロ）本考案の装置暗箱外ケース  ハ）本考案の装置全体図
【考案を実施するための形態】
【０００９】暗箱部は内ケース部と外ケース部で構成されていて内ケース部には蛍光励起光源（ＵＶ管もしくはＬＥＤ）が内蔵され撮影及び切り出し時に点灯照射でき外ケース部は内ケース部の側面にハメ合わせされていて上下にスライドでき撮影及び切り出し時に作業者がその目的に合った高さ調節ができる。
【実施例】
【００１０】以下、添付図面に従って一実施例を説明する。
イ）とロ）で暗箱部を構成しハメ合いレール部で上下に移動することで高さ調整ができ鮮明な画像撮影及び的確な切り出しができる。
ハ）はカメラ部を含む本装置の全体図を示す。
【符号の説明】
【００１１】▲１▼ゲルステージ
▲２▼励起光源部
▲３▼ストップ位置決め板
▲４▼カメラ
▲５▼インデックスプランジャー
▲６▼ハメ合いレール部（オス）
▲７▼暗幕部
▲８▼ハメ合いレール部（メス）
【図１】
0003210581.tif 000003
(57)【要約】      （修正有）【課題】形状にとらわれない、布のように肌馴染みの良い照明器具を提供する。【解決手段】電導性をもたせた布１に光源２を配置し、その上に光を拡散させる緩衝材３を配置した照明本体を、柔軟性を持つ布４で覆う。【選択図】図１
0003210586.tif 000002
【実用新案登録請求の範囲】
【請求項１】
電導性をもたせた布に光源を配置し、その上に光を拡散させる緩衝材を配置した照明本体を、柔軟性を持つ布で覆うことを特徴とする照明装置。
【考案の詳細な説明】
【技術分野】
【０００１】  本考案は、布のような柔軟性もたせた照明装置に関するものである。
【背景技術】
【０００２】  今まで、布のような柔軟性を持たせた照明装置がなかった。
【考案の概要】
【考案が解決しようとする課題】
【０００３】  形状にとらわれない、布のように肌馴染みの良い照明器具を作る。
【課題を解決するための手段】
【０００４】  電導性をもたせた布に光源を配置し、その上に光を拡散させる緩衝材を配置した照明本体を、柔軟性を持つ布で覆うことを特徴とする照明装置。
【考案の効果】
【０００５】  自由に形状を変えることができる照明器具を提供できる。
【図面の簡単な説明】
【０００６】
【図１】照明の内部構造を示す図である。
【図２】本考案の実施例を示した写真である。
【考案を実施するための形態】
【０００７】  図１のように電導性をもたせた布１に光源２を配し、その上に光を拡散させるための緩衝材３を配した照明本体に布４を被せる。電線、導電性のある糸などを縫い込んだ布、導電性塗料が印刷された布などを用いることができる。光源は、その光量によって１ｃｍから４０ｃｍまでの間隔で配置させる。緩衝材は難燃ポリエステルなど難燃性又は不燃性を持つ緩衝材を用いる。なお、本考案の照明本体の構成は電導性をもたせた布、光源に加えて絶縁材などを付加しても良い。
【実施例】
【０００８】  図２は本考案装置の一実施例である。
【産業上の利用可能性】
【０００９】  柔軟な照明装置として使える。
【符号の説明】
【００１０】  １  導電性をもたせた布
２  光源
３  緩衝材
４  照明本体を覆う布
【図１】
0003210586.tif 000003
【図２】
0003210586.tif 000004
(57)【要約】      （修正有）【課題】血液循環を促すことが可能な衣類を提供する。【解決手段】衣類1は首回りを覆い、襟10の頂辺11が使用者に着用された状態において、使用者の頭部の髪の生え際から、耳の直下を通り、顎下に伸びることで、首の頸動脈100及び首のツボである天柱200を覆う。【選択図】図2
0003210584.tif 000002
【実用新案登録請求の範囲】
【請求項１】
首回りを覆う衣類であって、襟の頂辺が使用者に着用された状態において、使用者の頭部の髪の生え際から、耳の直下を通り、顎下に伸びることで、首の頸動脈及び首のツボである天柱を覆う衣類。
【請求項２】
使用者の脚を挿入可能な一対の脚通し部を有するズボン部まで襟から一体的に形成され、襟の頂辺から一対の脚通し部の下端まで伸びる分割部において着脱自在に左右に分割可能な請求項1に記載の衣類。
【考案の詳細な説明】
【技術分野】
【０００１】
本考案は首回りを覆う衣類に関する。
【考案の概要】
【考案が解決しようとする課題】
【０００２】
例えば要介護者は体を動かすことが少なく血液循環が悪くなる為に体が冷え易い。本考案は、血液循環を促すことが可能な衣類を提供する。
【課題を解決するための手段】
【０００３】
首回りを覆う衣料であって、襟の頂辺が使用者に着用された状態において、使用者の頭部の髪の生え際から、耳の直下を通り、顎下に伸びることで、首の頸動脈及び後頭部のツボである天柱を覆う衣類。
【０００４】
これにより首回りの血管を温めることが出来るので血液循環が良くなる事が期待される。
【０００５】
使用者の脚を、挿入可能な一対の脚通し部を有するズボン部まで、襟から一体的に形成され、襟の頂辺から一対の脚通し部の下端まで伸びる分割部において、着脱自在に左右に分割可能な請求項1に記載の衣類。
【０００６】
寝返りを打つのにも不自由になっている高齢者は血液循環も悪く成り、褥瘡が出来やすくなるが、血管を温めると血液循環がよくなる事が期待される。首の頸動脈を温めることにより衣服一枚の効果が有ると言われている。
【０００７】
上下に離れている衣類はお腹が出やすいが、本考案によれば、襟からズボン部まで一体的に形成されるので、お腹が出ない。また、分割部により、左右に分割できるので、衣類の脱着が容易になる。
【考案の効果】
【０００８】
本考案によれば血液循環を促すことが可能な衣類を提供することが出来る。
【図面の簡単な説明】
【０００９】
【図１】本考案の形態にかかる衣類を説明する図である。
【図２】本考案の形態にかかる衣類の首回りを側面から見た図である。
【考案を実施するための形態】
【００１０】
衣類1は首回りを覆い、襟10の頂辺11が使用者に着用された状態において、使用者の頭部の髪の生え際から、耳の直下を通り、顎下に伸びることで、首の頸動脈100及び首のツボである天柱200を覆う。
【００１１】
衣類1は使用者の脚を挿入可能な一対の脚通し部21を有するズボン部20まで襟10から一体的に形成され、襟10の頂辺11から一対の脚通し部21の下端まで伸びる分割部30において係止具により、着脱自在に左右に分割可能である。
【００１２】
図の素材は天竺素材ですが、布帛素材・綿布・毛織物・紙製品・不織布・合成繊維・革・等何でも良い。
【００１３】
係止具はファスナー・面ファスナー・ホック・釦・紐・リボン等何でも良い。
【００１４】
袖は任意で長袖・半袖・袖無し等何でも良い。
【００１５】
着丈は任意で下半身は長ズボン形式でも・半ズボンでもショートパンツ形式でも良い。
【００１６】
首回りの形状は帯状でも襟状・筒状でも良い。
【００１７】
首回りの布は取り外しが出来ても、出来なくても良い。
【００１８】
首から太腿までを覆うカバーオールの形式の衣類１は露出を防ぐ事が可能になる。
【００１９】
炭混入繊維や発熱繊維など遠赤外線繊維等で作成する事により効果を得やすくなる。
【符号の説明】
【００２０】
１      衣類  
１０    襟    
１１    頂辺  
２０    ズボン部  
２１    脚通し部
２００  天柱
１００  頸動脈  
３０    分割部
【図１】
0003210584.tif 000003
【図２】
0003210584.tif 000004